(57)【要約】【課題】製造や施工のコストを減少でき、かつ組立作業を簡略化できるとともに、墜落の不安感を無くすことができて安心して利用でき、かつ手摺が設けられる部分のスペースを有効に利用できる手摺および手摺ユニットを提供すること。【解決手段】手摺体１１と、手摺体１１に沿って配置される柵体１４とで手摺１０を構成しているので、手摺体１１をバルコニー等の内部側に沿って配置し、柵体１４を手摺体１１の屋外側に配置することができる。従って、手摺体１１が内方にあるため、利用者が不安感を感じず安心してバルコニーや手摺１０を利用できる。さらに、柵体１４が手摺体１１の屋外側にあるため、柵体１４の手前側は物を置くスペースとして有効に利用することができる。また、手摺ユニットで手摺１０を構成すれば、予め工場で生産された手摺ユニットを施工現場に搬送して取り付けることで、現場作業を軽減することができる。【選択図】  図２
2004300834.tif 000002
【特許請求の範囲】
【請求項１】
建造物の手摺取付部に取り付けられる手摺であって、
手摺取付部の上面に固定された手摺体と、前記手摺取付部上面において前記手摺体に沿って配置された柵体とを備えて構成され、
前記手摺体は、手摺取付部上面に直立された複数の支柱と、これらの支柱間に横架された手摺材とを備え、
前記柵体は、少なくとも手摺取付部上面または前記各支柱の一方に固定された複数の柵支柱と、これらの柵支柱間に横架されて前記手摺材に略平行に配置された横格子材とを備える手摺。
【請求項２】
建造物の手摺取付部に取り付けられる手摺であって、
手摺取付部の上面に固定された手摺ユニットを備えて構成され、
前記手摺ユニットは、前記手摺取付部上面に取り付けられた手摺体と、前記手摺取付部上面において前記手摺体に沿って配置された柵体とを備え、
前記手摺体は、手摺取付部上面に直立された複数の支柱と、これらの支柱間に横架された手摺材とを備え、
前記柵体は、前記各支柱に固定された複数の柵支柱と、これらの柵支柱間に横架されて前記手摺材に略平行に配置された横格子材とを備える手摺。
【請求項３】
前記手摺ユニットは、
手摺材の各端部が固定される２本の端部用支柱と、各端部用支柱に固定された端部用柵支柱とを少なくとも有する第１手摺ユニットと、
手摺体の一端部が固定される端部用支柱および中間部が固定される中間部用支柱と、端部用支柱に固定された端部用柵支柱および中間部用支柱に固定された中間部用柵支柱とを有し、前記中間部用支柱および中間部用柵支柱から手摺材他端部側には支柱および柵支柱が配置されていない第２手摺ユニットとを備え、
前記第１および第２手摺ユニットは、第２手摺ユニットの端部用支柱が配置されていない他端部側が前記第１手摺ユニットの端部用支柱に隣接して配置され、前記第２手摺ユニットにおける手摺材の他端部は前記第１手摺ユニットの端部用支柱に固定され、
前記第１手摺ユニットの端部用柵支柱と前記２手摺ユニットの中間部用柵支柱との間には、横格子材が掛け渡されている請求項２に記載の手摺。
【請求項４】
前記手摺ユニットは、
手摺材の各端部が固定される２本の端部用支柱と、各端部用支柱に固定された端部用柵支柱とを少なくとも有する第１手摺ユニットと、
手摺体の一端部が固定される端部用支柱および中間部が固定される中間部用支柱と、端部用支柱に固定された端部用柵支柱および中間部用支柱に固定された中間部用柵支柱と、一端部が端部用柵支柱に固定され、かつ中間部が中間部用柵支柱に固定された横格子材とを有し、前記中間部用支柱および中間部用柵支柱から手摺材他端部側には支柱および柵支柱が配置されていない第２手摺ユニットとを備え、
前記第１および第２手摺ユニットは、第２手摺ユニットの端部用支柱が配置されていない他端部側が前記第１手摺ユニットの端部用支柱に隣接して配置され、前記第２手摺ユニットにおける手摺材および横格子材の各他端部は前記第１手摺ユニットの端部用支柱および端部用柵支柱にそれぞれ固定されている請求項２に記載の手摺。
【請求項５】
前記横格子材は、外周面部を備えて中空筒状に形成され、かつ、その中空部内部に長手方向に沿った略平板状のリブが一体成形された押出形材からなり、
横格子材の外周面部の一部を切り欠くことで外部に露出されたリブ部分で前記柵支柱と固定されている請求項１〜４のいずれかに記載の手摺。
【請求項６】
前記手摺は、建物のバルコニー、廊下、階段に取り付けられる手摺、または、橋の欄干として用いられる手摺であり、前記柵体は、前記手摺体の建造物外部側に配置されている請求項１〜５のいずれかに記載の手摺。
【請求項７】
建造物の手摺取付部に取り付けられる手摺ユニットであって、
手摺体および手摺体に沿って配置される柵体とを備え、
前記手摺体は、手摺取付部上面に直立される複数の支柱と、これらの支柱間に横架された手摺材とを備え、
前記柵体は、前記各支柱に固定された複数の柵支柱と、これらの柵支柱間に横架されて前記手摺材に略平行に配置される横格子材とを備えて構成される手摺ユニット。
【発明の詳細な説明】
【０００１】
【発明の属する技術分野】
本発明は、集合住宅等のバルコニー、屋上、外廊下、階段等に設けられる手摺と、この手摺を構成する際に用いられる手摺ユニットに関する。
【０００２】
【背景技術】
集合住宅の屋上やバルコニー等には転落を防止するための手摺が設けられている。このような手摺は、一般的には、直立した支柱および支柱間に横架された手摺材とで構成される。
このような一般的な手摺に対し、床部から上方へ立上がる立上り部を設け、該立上り部に建物内方側へ傾斜して張り出した張出部を接合し、張出部の端部に手摺部を設けることで、手摺部を立上り部よりも内方に後退（セットバック）させた手摺が知られている（例えば、特許文献１）。この特許文献１の手摺では、手摺部が立上り部に比べて内方に後退されているので、墜落の防止や恐怖心の抑制を図ることができる効果がある。
【０００３】
【特許文献１】
特開平１１−３５０６９５号公報
【０００４】
【発明が解決しようとする課題】
しかしながら、前記特許文献１に記載の手摺では、手摺部に加わる荷重は、傾斜配置された張出部と、この張出部が接合された立上り部とで支持しなければならず、立上り部および張出部を高強度の部材で構成し、かつ、溶接などの強固な連結構造で連結しなければならず、手摺のコストが増大し、かつ、連結作業等も煩雑になるという問題があった。
さらに、傾斜配置された張出部に手摺部を取り付けた場合には、張出部や立上り部を高強度の部材で構成したり、強固な連結構造を採用しても、手摺部に荷重が加わった際の手摺の落ち込みや後倒れなどが懸念されるため、補助的な支持部材をさらに取り付ける必要がある。このため、手摺部の荷重を支持するために高強度の部材で構成されるものとして、立上り部、張出部の他に、支持部材も必要となってしまい、その分、コストがより一層増大し、連結作業も増えて施工作業性が低下するという問題があった。
【０００５】
一方、従来の直立した支柱および手摺材で構成される手摺を、バルコニー等の屋外端縁から内方に配置すれば、特許文献１と同様に、墜落の防止や恐怖心の抑制を図ることができる。
しかしながら、この場合には、手摺の屋外側のスペースを利用することができず、バルコニーなどにおいて利用できる面積がバルコニー自体の面積に比べて小さくなってしまうという新たな問題が生じる。
【０００６】
この問題は、逆梁工法の建物におけるバルコニーなどにおける腰壁上面に手摺を設ける場合にも生じる。すなわち、近年の集合住宅では、建物の躯体となる梁を、バルコニーの床の屋外側端部に配置した逆梁工法を採用したものが増えてきている。
この逆梁工法では、バルコニーの腰壁部分に梁を配置しているので、腰壁の奥行き寸法が広くなる。この腰壁の上面に、上記一般的な手摺を設ける場合、腰壁の屋外側に配置すると、利用者に墜落の不安感を与えるという問題がある。
一方で、手摺をバルコニー側（手前側）に沿って配置すると、墜落の不安感は解消されるが、腰壁上面における手摺の屋外側のスペースを利用できず、バルコニー部が狭く感じるという問題がある。
【０００７】
このような問題は、バルコニー部に設けられる手摺に限らず、例えば、集合住宅の外壁に沿って配置される外廊下の壁部分に配置される手摺、屋上に配置される手摺、階段の手摺や、橋の欄干として用いられる手摺などにおいても、共通する問題である。
【０００８】
本発明の目的は、製造や施工のコストを減少でき、かつ組立作業を簡略化できるとともに、墜落の不安感を無くすことができて安心して利用でき、かつ手摺が設けられる部分のスペースを有効に利用できる手摺および手摺ユニットを提供することにある。
【０００９】
【課題を解決するための手段】
本発明の手摺は、建物や橋等の建造物の手摺取付部に取り付けられる手摺であって、手摺取付部の上面に固定された手摺体と、前記手摺取付部上面において前記手摺体に沿って配置された柵体とを備えて構成され、前記手摺体は、手摺取付部上面に直立された複数の支柱と、これらの支柱間に横架された手摺材とを備え、前記柵体は、少なくとも手摺取付部上面または前記各支柱の一方に固定された複数の柵支柱と、これらの柵支柱間に横架されて前記手摺材に略平行に配置された横格子材とを備えることを特徴とする。
【００１０】
また、本発明の手摺は、建造物の手摺取付部に取り付けられる手摺であって、手摺取付部の上面に固定された手摺ユニットを備えて構成され、前記手摺ユニットは、前記手摺取付部上面に取り付けられた手摺体と、前記手摺取付部上面において前記手摺体に沿って配置された柵体とを備え、前記手摺体は、手摺取付部上面に直立された複数の支柱と、これらの支柱間に横架された手摺材とを備え、前記柵体は、前記各支柱に固定された複数の柵支柱と、これらの柵支柱間に横架されて前記手摺材に略平行に配置された横格子材とを備えることを特徴とするものでもよい。
【００１１】
これらの発明においては、手摺体と、手摺体に沿って配置される柵体とで手摺を構成しているので、例えば、バルコニーの腰壁部分に手摺を設ける場合には、手摺体を腰壁上面のバルコニー内部側に沿って配置し、柵体を手摺体の屋外側に配置することができる。
このため、手摺体が内方にあるため、利用者は墜落の不安感を無くすことができて安心してバルコニーや手摺を利用できる。また、手摺体は、直立した支柱と、支柱間に横架された手摺材とで構成されているので、前記従来のように、支柱部分を傾斜させた手摺に比べて支柱の強度を小さくすることができ、かつ、直立した支柱は一体に形成できるので、立上り部および傾斜部を有する場合のような強固な連結構造も不要にできる。その上、手摺体の支柱は直立して垂直に設けられており、傾斜配置される張出部は不要なため、支持部材も不要にできる。従って、手摺を安価に製造でき、組立作業も簡略化できて作業効率を向上できる。
また、手摺体に沿って柵体が配置されているので、この柵体を手摺体の屋外側に配置すれば、柵体の手前側は物を置くスペースとして利用可能であり、例えば、プランターなどを設置することができ、手摺が設けられる腰壁上面等のスペースを有効に利用することができる。
その上、柵体は、物の落下を防止するものであり、手摺材に加わる荷重を支持するものではないため、特許文献１の立上り部や張出部に比べて、要求される強度は非常に小さいものである。このため、柵体を構成する柵支柱や横格子材のコストは立上り部や張出部の部材に比べて大幅に低くすることができ、かつ、様々なデザインを用いることができて意匠性も向上できる。
【００１２】
さらに、手摺ユニットで手摺を構成すれば、予め工場で生産された手摺ユニットを施工現場に搬送して取り付けることで手摺を施工できるので、現場作業を軽減できて施工期間も短縮することができる。
また、手摺ユニットは、手摺体の複数の支柱と、手摺体に沿って配置される柵体の複数の柵支柱とを備えているので、各支柱および柵支柱を手摺取付部上面に載置すれば自立させることができる。このため、手摺ユニットを作業者が常時支えながら取付作業を行う必要が無いため、手摺がユニット化されておらず、各部品を現場で組立ながら施工する場合に比べて、施工作業性を向上することができる。
【００１３】
ここで、前記手摺ユニットは、手摺材の各端部が固定される２本の端部用支柱と、各端部用支柱に固定された端部用柵支柱とを少なくとも有する第１手摺ユニットと、手摺体の一端部が固定される端部用支柱および中間部が固定される中間部用支柱と、端部用支柱に固定された端部用柵支柱および中間部用支柱に固定された中間部用柵支柱とを有し、前記中間部用支柱および中間部用柵支柱から手摺材他端部側には支柱および柵支柱が配置されていない第２手摺ユニットとを備え、前記第１および第２手摺ユニットは、第２手摺ユニットの端部用支柱が配置されていない他端部側が前記第１手摺ユニットの端部用支柱に隣接して配置され、前記第２手摺ユニットにおける手摺材の他端部は前記第１手摺ユニットの端部用支柱に固定され、前記第１手摺ユニットの端部用柵支柱と前記２手摺ユニットの中間部用柵支柱との間には、横格子材が掛け渡されていることが好ましい。
【００１４】
このような第１、第２の手摺ユニットを用意し、第２手摺ユニットの端部用支柱や端部用柵支柱が設けられていない他端部側を第１の手摺ユニットに隣接配置すれば、２つの手摺ユニットで構成される手摺において、各支柱や柵支柱が隣り合って配置されることがなく、各支柱や柵支柱を等間隔で配置することもできて意匠性を向上することができる。
その上、第２手摺ユニットは、端部用支柱が配置されていない他端部側まで手摺材を延長配置しておくことができ、かつ、端部用柵支柱および中間部用柵支柱間にも横格子材を予め取り付けておくことができる。従って、各ユニットの連結にあたっては、第２手摺ユニットの手摺材の端部を、第１手摺ユニットの端部用支柱に固定し、横格子材が予め配置されていない第２手摺ユニットの中間部用柵支柱および第１手摺ユニットの端部用柵支柱間に、横格子材を取り付けるだけでよいため、ユニットを用いていない場合に比べて施工作業も簡略化できる。
なお、３つ以上の手摺ユニットで手摺を構成する場合には、前記第２手摺ユニットの端部用支柱が設けられている一端部側に、新たに追加する第２手摺ユニットの端部用支柱等が設けられていない他端部側を隣接配置することで、各支柱や柵支柱が隣り合って配置されることがない手摺を順次構築することができる。
【００１５】
また、前記手摺ユニットは、手摺材の各端部が固定される２本の端部用支柱と、各端部用支柱に固定された端部用柵支柱とを少なくとも有する第１手摺ユニットと、手摺体の一端部が固定される端部用支柱および中間部が固定される中間部用支柱と、端部用支柱に固定された端部用柵支柱および中間部用支柱に固定された中間部用柵支柱と、一端部が端部用柵支柱に固定され、かつ中間部が中間部用柵支柱に固定された横格子材とを有し、前記中間部用支柱および中間部用柵支柱から手摺材他端部側には支柱および柵支柱が配置されていない第２手摺ユニットとを備え、前記第１および第２手摺ユニットは、第２手摺ユニットの端部用支柱が配置されていない他端部側が前記第１手摺ユニットまたは第２手摺ユニットの端部用支柱に隣接して配置され、前記第２手摺ユニットにおける手摺材および横格子材の各他端部は前記第１手摺ユニットまたは第２手摺ユニットの端部用支柱および端部用柵支柱にそれぞれ固定されていることが好ましい。
【００１６】
このような第１、第２の手摺ユニットを用意した場合も、第２手摺ユニットの端部用支柱や端部用柵支柱が設けられていない他端部側を、第１手摺ユニットに隣接配置することで、各支柱や柵支柱が隣り合って配置されることがなく、各支柱や柵支柱を等間隔で配置することもできて意匠性を向上することができる。
なお、３つ以上の手摺ユニットで手摺を構成する場合には、前記第２手摺ユニットの端部用支柱が設けられている一端部側に、新たに追加する第２手摺ユニットの端部用支柱等が設けられていない他端部側を隣接配置することで、各支柱や柵支柱が隣り合って配置されることがない手摺を順次構築することができる。
その上、第２手摺ユニットは、手摺材および横格子材を、端部用支柱や端部用柵支柱が配置されていない他端部側まで延長することができるので、各ユニットの連結にあたっては、第２手摺ユニットの手摺材の端部および横格子材の端部を、第１手摺ユニットの端部用支柱および端部用柵支柱に固定するだけでよく、施工作業を一層簡略化できる。
【００１７】
ここで、前記横格子材は、外周面部を備えて中空筒状に形成され、かつ、その中空部内部に長手方向に沿った略平板状のリブが一体成形された押出形材からなり、横格子材の外周面部の一部を切り欠くことで外部に露出されたリブ部分で前記柵支柱と固定されていることが好ましい。
このような構成によれば、例えば、柵支柱側から露出したリブにタッピンねじを螺合することなどで横格子材を柵支柱に固定することができる。このため、連結用のブラケットなどを用いる必要がないため、部品数を少なくできてコストを低減できるとともに、横格子材部分にブラケットなどの部品が露出することがなく、意匠性を向上することができる。
【００１８】
また、前記手摺は、建物のバルコニー、廊下、階段に取り付けられる手摺、または、橋の欄干として用いられる手摺であり、前記柵体は、前記手摺体の建造物外部側に配置されていることが好ましい。
ここで、建造物外部側とは、バルコニー、廊下、階段に取り付けられる手摺においては、通常は、手摺が設けられる建物の屋外側を意味し、橋の欄干として用いられる手摺においては、車や歩行者用の道路が設けられた橋の内側に対する橋の外側、つまり河側等を意味する。なお、建物の吹き抜け等の中空部に面して廊下やバルコニーなどが設けられている場合には、その吹き抜け側が建造物外部側となる。要するに、建造物外部側とは、利用者が通常利用できないスペースを意味する。
このような本発明においては、バルコニー、外廊下、階段、橋の欄干などにおいて、柵体の建造物内部側にプランターなどを置くことができてスペースを有効利用できる。
【００１９】
本発明の手摺ユニットは、建造物の手摺取付部に取り付けられる手摺ユニットであって、手摺体および手摺体に沿って配置される柵体とを備え、前記手摺体は、手摺取付部上面に直立される複数の支柱と、これらの支柱間に横架された手摺材とを備え、前記柵体は、前記各支柱に固定された複数の柵支柱と、これらの柵支柱間に横架されて前記手摺材に略平行に配置される横格子材とを備えて構成されることを特徴とする。
【００２０】
この本発明においても、前記手摺と同様の作用効果を奏することができる。特に、手摺ユニットは、予め工場等で生産でき、施工現場に搬送して手摺取付部に取り付けることで手摺を簡単に施工できるので、現場作業を軽減できて施工期間も短縮することができる。
また、手摺ユニットは、手摺体の複数の支柱と、手摺体に沿って配置される柵体の複数の柵支柱とを備えているので、各支柱および柵支柱を手摺取付部上面に載置すれば自立させることができ、手摺ユニットを作業者が常時支えながら取付作業を行う必要が無いため、施工作業性を向上することができる。
【００２１】
なお、手摺ユニットにおいても、前記手摺における第１手摺ユニットおよび第２手摺ユニットを備えて構成されていることが好ましい。
このような第１、２手摺ユニットを備えていれば、前述した手摺と同様の作用効果を奏することができる。
【００２２】
【発明の実施の形態】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００２３】
〔第１実施形態〕
本発明の第１実施形態に係る手摺について、図１ないし図５に基づいて説明する。
図１は、本実施形態の手摺１０が取り付けられた建造物としての建物１の一部を示す断面図である。図２は、手摺１０を建物１の屋外側から見た斜視図である。図３および図４は、それぞれ手摺１０を示す縦断面図、および分解斜視図である。図５は、手摺１０の取付手順を示す斜視図である。
【００２４】
図１において、建造物としての建物１は、柱２と、この柱２間に架設された梁３と、この梁３に支持され各階フロアを構成する床スラブ４とを備えて構成された、集合住宅等の用途に供される建築物（建造物）である。建物１の屋外側には、屋外空間に開放されたバルコニーが設けられており、このバルコニーと室内空間とは、開閉可能な窓５で仕切られている。梁３は、建物１の屋外側面に沿って設けられ、床スラブ４の上面より上方に立ち上がる立上部３Ａを備えた、いわゆる逆梁である。すなわち、建物１は、屋外側面において柱２および梁３を鉛直および水平方向に緊結したラーメン構造体を形成するとともに、逆梁とした梁３の立上部３Ａでバルコニーの屋外側に腰壁を構成した、逆梁工法により構築されている。
【００２５】
梁３の立上部３Ａは、床スラブ４上面から６００〜８００ｍｍの高さ寸法Ｈ１を有しており、この梁３の略全長に渡って上面に手摺１０が取り付けられている。すなわち、逆梁である梁３で手摺取付部が構成されている。手摺１０の高さ寸法Ｈ２は、３００〜５００ｍｍであり、床スラブ４上面から手摺１０の上端までの高さ寸法Ｈ３が、１１００〜１３００ｍｍになっている。すなわち、梁３の立上部３Ａおよび手摺１０を合わせた高さ寸法Ｈ３は、建築基準法および関連法規において規定された１１００ｍｍ以上の高さ寸法を確保できるようになっている。
【００２６】
図２ないし図４において、手摺１０は、梁３上面に直立された複数の支柱１２と、これらの支柱１２上端間に梁３の延出方向に沿って横架された手摺材１３とを有する手摺体１１を備えている。さらに、手摺１０は、梁３上面における屋外側に手摺体１１に沿って取り付けられた柵体１４を備えて構成されている。この柵体１４は、各支柱１２の上部から梁３上面に渡って固定された柵支柱１５と、これらの柵支柱１５間に横架されて手摺材１３に略平行に配置された横格子材１６とを備えている。
【００２７】
手摺体１１は、腰壁等の上側に取り付けられる通常の手摺と略同様の構成を備え、通常の手摺において支柱１２間に横架される横格子材が省略されたものとなっている。手摺体１１の支柱１２および手摺材１３は、それぞれ中空のアルミ押出形材製であり、支柱１２は角筒状に形成され、手摺材１３は上面が曲面となった屋内外方向（図３中、左右方向）に長い扁平筒状に形成されている。そして、手摺材１３は、屋内側（バルコニー側）に偏心して支柱１２に固定されており、手摺材１３の屋内側縁は、梁３の屋内側側面と略同一面内に設けられている。
【００２８】
支柱１２は、梁３上面に固定された固定部材１２Ａに、柱脚部を挿入し、ビス止めすることで、梁３上面に固定されている。なお、固定部材１２Ａは、固定部材１２Ａに挿通されるとともに、梁３内に貫入、固定されたアンカーボルト１２Ｂにナットで締め付けて、梁３上面に固定されている。支柱１２の柱脚部外側には、角形リング状のカバー材１２Ｃが固定され、このカバー材１２Ｃで支柱１２柱脚部と梁３上面との交差位置が覆われ、この交差位置から支柱１２内への雨水等の浸入が防止されている。
なお、梁３上面への支柱１２の取付方法は、上記に限らず、梁３に柱脚を埋め込み、グラウト材を注入して固定する埋込み工法が採用でき、この際、支柱１２の柱脚端面にシール材付きのカバープレートを固定し、柱脚を閉鎖してもよい。
【００２９】
支柱１２の上端には、手摺材１３を固定するための連結板１２Ｄがビス止め固定されている。この連結板１２Ｄは、屋内外方向の寸法が支柱１２と略同一で、手摺材１３に沿った方向の寸法が支柱１２よりも長く形成された、矩形状の板材である。そして、連結板１２Ｄは、手摺材１３に沿った方向の両端部が支柱１２の側面から張り出して固定され、この張り出した部分に手摺材１３固定用のビス孔が設けられている。また、支柱１２上部の屋外側側面には、柵体１４の柵支柱１５を固定するためのブラケット１２Ｅがビス止め固定されている。このブラケット１２Ｅは、平面略コ字形に曲げ加工された板材であって、コ字形の開口側を屋外側に向けて固定され、屋内外方向に沿った両側面に柵支柱１５の固定用のビス孔が設けられている。
【００３０】
手摺材１３の底面には、その延出方向に沿った凹溝１３Ａが形成されており、この凹溝１３Ａの屋内外方向幅寸法は、支柱１２の連結板１２Ｄを嵌合可能な寸法となっている。そして、手摺材１３は、凹溝１３Ａを連結板１２Ｄに嵌合し、下方から連結板１２Ｄのビス孔に挿通したビスで支柱１２に固定されるようになっている。また、手摺材１３の延出方向端部には、手摺材１３の中空内側に嵌合可能な端部キャップ１３Ｂが取り付けられている。この端部キャップ１３Ｂにより、手摺材１３内部への雨水等の浸入を防止することができるようになっている。
【００３１】
手摺体１１の屋外側に取り付けられた柵体１４の柵支柱１５および横格子材１６は、それぞれ中空のアルミ押出形材製であり、柵支柱１５は角筒状部材から曲げ加工により円弧状に湾曲形成され、横格子材１６は円筒状に形成されている。柵支柱１５は、その上端を手摺体１１の支柱１２上端部の屋外側側面に略直交して当接した状態で、両側面がブラケット１２Ｅにビス止め固定されている。そして、柵支柱１５は、支柱１２側面から屋外側に延びるとともに下方へ湾曲して、下端を梁３上面に略直交して当接した状態で、梁３上面にビス止めされたブラケット１４Ａに固定されている。柵支柱１５の下端外側には、角形リング状のカバー材１４Ｂが固定され、このカバー材１４Ｂで柵支柱１５下端部と梁３上面との交差位置が覆われ、この交差位置から柵支柱１５内への雨水等の浸入が防止されている。
【００３２】
横格子材１６は、柵支柱１５間に互いに略平行に複数本（本実施形態において、４本）ずつ横架されており、各横格子材１６の両端部が柵支柱１５に固定されたブラケット１４Ｃにビス止め固定されている。このブラケット１４Ｃは、横格子材１６の端部中空内部に嵌合可能な短尺の円筒部材であり、柵支柱１５の対向側面にビス止め固定されている。そして、複数の横格子材１６は、互いの隙間および梁３上面との隙間から、梁３上面に載置する物（例えば、プランター等）が通過不能な間隔で、互いに略等間隔に設けられている。従って、居住者が梁３上面に載置した物が、誤って落下することを防止できるようになっている。
【００３３】
次に、本実施形態の手摺１０の製造方法、および梁３上面への取付方法について説明する。
図５において、手摺１０は、第１、第２の手摺ユニット１０Ａ，１０Ｂから構成されている。第１手摺ユニット１０Ａは、３本の支柱１２、これらの支柱１２上端に固定された手摺材１３、各支柱１２に固定された３本の柵支柱１５、および各柵支柱１５間に４本ずつ固定された８本の横格子材１６が、予め工場で一体に組み立てられている。すなわち、３本の支柱１２のうち、両側の２本が手摺ユニットの端部に配置される端部用支柱１２１であり、中央の１本が手摺ユニットの中間部に配置される中間部用支柱１２２である。また、３本の柵支柱１５のうち、両側の２本が手摺ユニットの端部に配置される端部用柵支柱１５１であり、中央の１本が中間部に配置される中間部用柵支柱１５２である。そして、第２手摺ユニット１０Ｂ側の端部用柵支柱１５１には、ブラケット１４Ｃが固定されている。
【００３４】
第２手摺ユニット１０Ｂは、第１手摺ユニット１０Ａから端部用支柱１２１を１本省略した２本の支柱１２、これらの支柱１２上端に固定され、省略された端部用支柱１２１位置（他端部側、第１手摺ユニット１０Ａ側）まで片持ち状に延びる手摺材１３、各支柱１２に固定された端部用柵支柱１５１および中間部用柵支柱１５２、および端部用柵支柱１５１および中間部用柵支柱１５２間に固定された４本の横格子材１６が、予め工場で一体に組み立てられている。また、予め組み立てられた４本の横格子材１６とは別に、施工現場で取り付けられる４本の横格子材１６が用意されている。すなわち、第１手摺ユニット１０Ａの端部用支柱１２１および端部用柵支柱１５１が、１本ずつ省略され、かつ、省略された端部用柵支柱１５１と中間部用柵支柱１５２との間に対応する４本の横格子材１６が別体となっている。そして、中間部用柵支柱１５２の第１手摺ユニット１０Ａ側、および端部用柵支柱１５１の第１手摺ユニット１０Ａと反対側に、ブラケット１４Ｃが固定されている。
【００３５】
以上のような第１、第２の手摺ユニット１０Ａ，１０Ｂを施工現場に搬送した後、以下の手順で梁３上面に取り付ける。先ず、梁３上面に突設されたアンカーボルト１２Ｂに固定部材１２Ａを固定するとともに、梁３上面にブラケット１４Ａを所定位置に固定しておく。次に、梁３の延出方向端部側において、支柱１２の柱脚部に固定部材１２Ａを挿入し、柵支柱１５の下端にブラケット１４Ａを挿入して、第１手摺ユニット１０Ａを梁３上面に載置する。これに続いて、支柱１２の柱脚部側面からビスを固定部材１２Ａに螺合し、柵支柱１５の下端側面からビスをブラケット１４Ａに螺合して、第１手摺ユニット１０Ａが梁３上面に固定される。
【００３６】
次に、第２手摺ユニット１０Ｂの他端部側を第１手摺ユニット１０Ａに向けて、第２手摺ユニット１０Ｂを梁３上面の所定位置に載置し、手摺材１３の端部を第１手摺ユニット１０Ａの端部用支柱１２１上端に固定する。この際、別体として用意した４本の横格子材１６を、第１手摺ユニット１０Ａの端部用柵支柱１５１、および第２手摺ユニット１０Ｂの中間部用柵支柱１５２に固定されたブラケット１４Ｃ間に介挿して固定する。また、第１、第２の手摺ユニット１０Ａ，１０Ｂの手摺材１３同士の連結部分に、ジョイントカバー１３Ｃを取り付ける。そして、第１手摺ユニット１０Ａと同様に、支柱１２の柱脚部を固定部材１２Ａに固定し、柵支柱１５の下端をブラケット１４Ａに固定して第２手摺ユニット１０Ｂが梁３上面に固定される。
【００３７】
次に、３つ以上の手摺ユニットで手摺１０が構成される場合は、以上のように取り付けられた第２手摺ユニット１０Ｂの一端部側に、別の第２手摺ユニット１０Ｂの他端部側を取り付ける。これを順次繰り返すことで、梁３に沿って連続して延びる手摺１０の取付作業を実行できるようになっている。
なお、第１手摺ユニット１０Ａと反対側の手摺１０端部に取り付けられる第２手摺ユニット１０Ｂは、第１手摺ユニット１０Ａの柱２側の端部と同様に形成されており、手摺材１３の端部が端部用支柱１２１から若干跳ね出して設けられ、この手摺材１３の端部に端部キャップ１３Ｂが取り付けられている。また、端部用柵支柱１５１の外側面には、ブラケット１４Ｃが設けられていない。
【００３８】
このような本実施形態によれば、以下のような効果がある。
（１）  手摺体１１を梁３上面のバルコニー内部側に配置し、柵体１４を手摺体の屋外側に配置したので、手摺体１１が内方にあるため、利用者は墜落の不安感を無くすことができて安心してバルコニーや手摺１０を利用できる。また、手摺体１１は、直立した支柱１２と、支柱１２間に横架された手摺材１３とで構成されているので、前記特許文献１のように、支柱部分を傾斜させた手摺に比べて支柱１２の強度を小さくすることができ、かつ、直立した支柱１２は一体に形成できるので、立上り部および傾斜部を有する場合のような強固な連結構造も不要にできる。その上、手摺体１１の支柱１２は直立して垂直に設けられており、傾斜配置される張出部は不要なため、支持部材も不要にできる。従って、手摺１０を安価に製造でき、組立作業も簡略化できて作業効率を向上できる。
【００３９】
（２）  また、手摺体１１の屋外側に柵体１４が配置されているので、柵体１４の手前側（バルコニー内部側）は物を置くスペースとして利用可能であり、例えば、プランターなどを梁３上面に設置することができ、梁３上面のスペースを有効に利用することができる。さらに、柵体１４は、物の落下を防止するものであり、手摺材１３に加わる荷重を支持するものではないため、特許文献１の立上り部や張出部に比べて、要求される強度は非常に小さいものである。このため、柵体１４を構成する柵支柱１５や横格子材１６のコストは立上り部や張出部の部材に比べて大幅に低くすることができ、かつ、様々なデザインを用いることができて意匠性も向上できる。
さらに、手摺体１１の手摺材１３は、支柱１２の上端に取り付けられており、手摺体１１には他に横材が配置されていないので、支柱１２および手摺材１３で囲まれた開口部分を比較的大きくすることができる。従って、前記柵体１４の手前側の載置スペースに物を出し入れすることも容易に行うことができ、使い勝手のよいスペースにすることができる。
【００４０】
（３）  また、手摺１０を手摺ユニット１０Ａ，１０Ｂで構成すれば、予め工場で生産された手摺ユニット１０Ａ，１０Ｂを施工現場に搬送して取り付けることで手摺１０を施工できるので、現場作業を軽減できて施工期間も短縮することができる。
【００４１】
（４）  さらに、手摺ユニット１０Ａ，１０Ｂは、手摺体１１の複数の支柱１２と、手摺体１１に沿って配置される柵体１４の複数の柵支柱１５とを備えているので、各支柱１２および柵支柱１５を梁３上面に載置すれば自立させることができる。このため、手摺ユニット１０Ａ，１０Ｂを作業者が常時支えながら取付作業を行う必要が無いため、手摺１０がユニット化されておらず、各部品を現場で組立ながら施工する場合に比べて、施工作業性を向上することができる。
【００４２】
（５）  また、第１、第２の手摺ユニット１０Ａ，１０Ｂを用意し、第２手摺ユニット１０Ｂの端部用支柱１２１や端部用柵支柱１５１が省略された他端部側を第１手摺ユニット１０Ａに隣接配置したので、２つの手摺ユニット１０Ａ，１０Ｂで構成される手摺１０において、各支柱１２や柵支柱１５が隣り合って配置されることがなく、各支柱１２や柵支柱１５を等間隔で配置することもできて意匠性を向上することができる。
【００４３】
（６）  さらに、第２手摺ユニット１０Ｂは、端部用支柱１２１が省略された他端部側まで手摺材１３が片持ち状に延長配置され、柵支柱１５間に横格子材１６が予め取り付けられているので、各手摺ユニット１０Ａ，１０Ｂの連結にあたっては、第２手摺ユニット１０Ｂの手摺材１３の端部を、第１手摺ユニット１０Ａの端部用支柱１２１に固定し、横格子材１６が予め配置されていない第２手摺ユニットの中間部用柵支柱１５２および第１手摺ユニットの端部用柵支柱１５１間に、横格子材１６を取り付けるだけでよいため、ユニットを用いていない場合に比べて施工作業も簡略化できる。
【００４４】
（７）  また、３つ以上の手摺ユニット１０Ａ，１０Ｂで手摺１０を構成する場合には、第２手摺ユニット１０Ｂの端部用支柱１２１が設けられている一端部側に、新たに追加する第２手摺ユニット１０Ｂの端部用支柱１２１等が設けられていない他端部側を隣接配置することで、各支柱１２や柵支柱１５が隣り合って配置されることがない手摺１０を順次構築することができる。
【００４５】
〔第２実施形態〕
次に、本発明の第２実施形態に係る手摺２０について、図６ないし図９に基づいて説明する。
図６は、本実施形態の手摺２０を建物１の屋外側から見た斜視図である。図７および図８は、手摺２０の要部を示す分解斜視図、および縦断面図である。図９は、手摺２０の取付手順を示す斜視図である。
本実施形態の手摺２０は、前述の第１実施形態と柵体を構成する横格子材の形態および取付方法が相違し、それ以外の構成は略同様である。以下、相違点について詳しく説明する。
【００４６】
図６ないし図８において、手摺２０は、第１実施形態と同様に複数の支柱２２および手摺材２３を有する手摺体２１と、この手摺体２１の屋外側に取り付けられた柵体２４とを備えて構成されている。支柱２２と手摺材２３とは、第１実施形態と同様の連結板２２Ｄで連結されている。柵体２４は、各支柱２２の上部から梁３上面に渡って固定された柵支柱２５と、これらの柵支柱２５間に横架されて手摺材２３に略平行に配置された横格子材２６，２７とを備えている。柵支柱２５の上端側に横架された横格子材２７は、第１実施形態の横格子材１６と同様の部材であり、ブラケット１４Ｃと同様のブラケット２４Ｃに両端部が固定されている。
【００４７】
柵支柱２５および横格子材２６は、それぞれ中空のアルミ押出形材製であり、柵支柱２５は角筒状部材から曲げ加工により途中部分が折り曲げ形成され、横格子材２６は屋内外方向に長い断面略紡錘形状に形成されている。柵支柱２５は、その上端を手摺体２１の支柱２２上端部の屋外側側面に略直交して当接した状態で、支柱２２に取り付けられたブラケットにビス止め固定されている。そして、柵支柱２５は、支柱２２側面から屋外側に略水平に延び、下方へ折り曲げられた下端側が屋外側に向かって下方に傾斜して延びて、梁３上面に角度を有して当接した下端部がブラケット（不図示）を介して梁３上面に固定されている。柵支柱２５の下端外側には、第１実施形態のカバー材１４Ｂと同一のカバー材２４Ｂが固定されている。
【００４８】
横格子材２６は、柵支柱２５の屋外側に互いに略平行に複数本（本実施形態において、３本）が横架されており、手摺２０の外端部となる横格子材２６の端部には、横格子材２６の中空内側に嵌合可能な端部キャップ２６Ａが取り付けられている。横格子材２６の中空内部には、図８に示すように、長手方向に沿った略平板状のリブ２６Ｂが一体成形されており、横格子材２６の屋内側側面の一部には、リブ２６Ｂ位置までの深さ寸法を有する切欠き２６Ｃが形成されている。リブ２６Ｂは、柵支柱２５と略同一傾斜角度をもって形成されており、切欠き２６Ｃは、柵支柱２５に嵌合可能に構成されている。そして、柵支柱２５に切欠き２６Ｃを嵌合してリブ２６Ｂを当接した状態で、柵支柱２５の屋内側側面から挿通したタッピンねじ２６Ｄをリブ２６Ｂに螺合することで、横格子材２６は柵支柱２５に固定されている。
【００４９】
次に、本実施形態の手摺２０の製造方法、および梁３上面への取付方法について説明する。
図９において、手摺２０は、第１、第２の手摺ユニット２０Ａ，２０Ｂから構成されている。第１手摺ユニット２０Ａは、３本の支柱２２、これらの支柱２２上端に固定された手摺材２３、各支柱２２に固定された３本の柵支柱２５、３本の柵支柱２５の屋外側に固定された３本の横格子材２６、および柵支柱２５間に固定された２本の横格子材２７が、予め工場で一体に組み立てられている。すなわち、３本の支柱２２のうち、両側の２本が手摺ユニット２０Ａの端部に配置される端部用支柱２２１であり、中央の１本が手摺ユニット２０Ａの中間部に配置される中間部用支柱２２２である。また、３本の柵支柱２５のうち、両側の２本が手摺ユニット２０Ａの端部に配置される端部用柵支柱２５１であり、中央の１本が手摺ユニット２０Ａの中間部に配置される中間部用柵支柱２５２である。そして、３本の横格子材２６は、第２手摺ユニット２０Ｂ側において、端部用柵支柱２５１の屋外側側面の略中央位置までの長さ寸法となっている。また、第２手摺ユニット２０Ｂ側の端部用柵支柱２５１上端側には、ブラケット２４Ｃが固定されている。
【００５０】
第２手摺ユニット２０Ｂは、第１手摺ユニット２０Ａから端部用支柱２２１を１本省略した２本の支柱２２、これらの支柱２２上端に固定され、省略された端部用支柱２２１位置（他端部側、第１手摺ユニット２０Ａ側）まで片持ち状に延びる手摺材２３、各支柱２２に固定された端部用柵支柱２５１および中間部用柵支柱２５２が一体に組み立てられる。さらに、端部用柵支柱２５１および中間部用柵支柱２５２間に１本の横格子材２７が固定され、端部用柵支柱２５１および中間部用柵支柱１５２に固定された３本の横格子材２６が、第１手摺ユニット２０Ａ側まで片持ち状に延びた状態で、第２手摺ユニット２０Ｂは予め工場で一体に組み立てられている。また、予め固定された１本の横格子材２７とは別に、施工現場で取り付けられる１本の横格子材２７が用意されている。すなわち、第１手摺ユニット２０Ａの端部用支柱２２１および端部用柵支柱２５１が、１本ずつ省略され、かつ、省略された端部用柵支柱２５１と中間部用柵支柱２５２との間に対応する１本の横格子材２７が別体となっている。そして、中間部用柵支柱２５２上端側の第１手摺ユニット２０Ａ側、および端部用柵支柱２５１の第１手摺ユニット２０Ａと反対側に、ブラケット２４Ｃが固定されている。
【００５１】
以上のような第１、第２の手摺ユニット２０Ａ，２０Ｂを施工現場に搬送した後、以下の手順で梁３上面に取り付ける。先ず、前述の第１実施形態の場合と同様に、第１手摺ユニット２０Ａを梁３上面に固定する。次に、第２手摺ユニット２０Ｂの他端部側を第１手摺ユニット２０Ａに向けて、第２手摺ユニット２０Ｂを梁３上面の所定位置に載置する。これに続いて、手摺材２３の端部を第１手摺ユニット２０Ａの端部用支柱２２１上端に固定するとともに、３本の横格子材２６端部の切欠き２６Ｃを第１手摺ユニット２０Ａの端部用柵支柱２５１に合わせて固定する。この際、別体として用意した１本の横格子材２７を、第１手摺ユニット２０Ａの端部用柵支柱２５１、および第２手摺ユニット２０Ｂの中間部用柵支柱２５２に固定されたブラケット２４Ｃ間に介挿して固定する。また、第１、第２の手摺ユニット２０Ａ，２０Ｂの手摺材２３同士および横格子材２６同士の連結部分に、ジョイントカバー２３Ｃ，２４Ｄを取り付ける。そして、第１手摺ユニット２０Ａと同様に、支柱２２の柱脚部および柵支柱２５の下端を固定して第２手摺ユニット２０Ｂが梁３上面に固定される。
【００５２】
次に、３つ以上の手摺ユニットで手摺２０が構成される場合は、以上のように取り付けられた第２手摺ユニット２０Ｂの一端部側に、別の第２手摺ユニット２０Ｂの他端部側を取り付ける。これを順次繰り返すことで、梁３に沿って連続して延びる手摺２０の取付作業を実行できるようになっている。
なお、第１手摺ユニット２０Ａと反対側の手摺２０端部に取り付けられる第２手摺ユニット２０Ｂは、第１手摺ユニット２０Ａの柱２側の端部と同様に形成されており、手摺材２３の端部が端部用支柱２２１から、横格子材２６の端部が端部用柵支柱２５１から若干跳ね出して設けられ、これらの端部に端部キャップ２６Ａが取り付けられている。また、端部用柵支柱２５１の外側面には、ブラケット２４Ｃが設けられていない。
【００５３】
このような本実施形態によれば、前述の（１）〜（７）と略同様の効果に加えて次のような効果がある。
（８）  第２手摺ユニット２０Ａの手摺材２３および横格子材２６を、端部用支柱２２１や端部用柵支柱２５１が配置されていない他端部側まで延長することができるので、各ユニットの連結にあたっては、第２手摺ユニット２０Ａの手摺材２３の端部および横格子材２６の端部を、第１手摺ユニット２０Ａの端部用支柱２２１および端部用柵支柱２５１に固定するだけでよく、施工作業を一層簡略化できる。
【００５４】
（９）  また、横格子材２６の屋内側外周面に切欠き２６Ｃを設け、切欠き２６Ｃに露出されたリブ２６Ｂ部分で柵支柱２５と固定したので、柵支柱２５側から露出したリブ２６Ｂにタッピンねじ２６Ｄを螺合することで横格子材２６を柵支柱２５に固定することができる。従って、連結用のブラケットなどを用いる必要がないため、部品数を少なくできてコストを低減できるとともに、横格子材２６部分にブラケットなどの部品が露出することがなく、意匠性を向上することができる。
【００５５】
〔第３実施形態〕
次に、本発明の第３実施形態に係る手摺３０について、図１０に基づいて説明する。
図１０は、本実施形態の手摺３０を建物１の屋外側から見た斜視図である。
本実施形態の手摺３０は、前述の第１実施形態と比較して、柵体を構成する柵支柱の形態が相違し、それ以外の構成は略同様である。以下、相違点について詳しく説明する。
【００５６】
図１０において、手摺３０は、第１実施形態と同様に複数の支柱３２および手摺材３３を有する手摺体３１と、この手摺体３１の屋外側に取り付けられた柵体３４とを備えて構成されている。この柵体３４は、各支柱３２の上部から梁３上面に渡って固定された柵支柱３５と、これらの柵支柱３５間に横架されて手摺材３３に略平行に配置された横格子材３６とを備えている。
【００５７】
柵支柱３５は、前述の第２実施形態と略同様に形成された中空のアルミ押出形材製であり、支柱３２に取り付けられたブラケットにビス止め固定されている。そして、柵支柱２５の下端部は、ブラケット（不図示）を介して梁３上面に固定され、この下端外側には、第１実施形態のカバー材１４Ｂと同一のカバー材３４Ｂが固定されている。横格子材３６は、前述の第１実施形態と略同様に形成された中空のアルミ押出形材製であり、両端部が柵支柱３５に固定されたブラケット（不図示）にビス止め固定されている。
【００５８】
本実施形態の手摺３０の製造方法、および梁３上面への取付方法は、前述の第１実施形態と略同様であり、手摺ユニットとして一体に組み立てられた支柱３２、手摺材３３、柵支柱３５、および横格子材３６を施工現場に搬送し、施工現場において手摺ユニットを梁３上面に順次取り付ける。
また、本実施形態によれば、前述の（１）〜（７）と略同様の効果がある。
【００５９】
なお、本発明は、前記各実施形態に限定されるものではなく、本発明の目的を達成できる他の構成等を含み、以下に示すような変形等も本発明に含まれる。
例えば、柵体１４，２４，３４の構成は、前記実施形態に限らない。すなわち、柵体は、手摺材１３，２３，３３に加わる荷重を支持する必要がないため、手摺体１１，２１，３１に連結されていなくてもよく、梁３上面にのみ固定されていてもよい。一方、柵体を手摺体１１，２１，３１のみに固定し、梁３に固定しない構成も採用できる。また、前記柵体１４，２４，３４は、柵支柱１５，２５，３５および横格子材１６，２６，２７，３６で構成されていたが、横格子材１６，２６，２７，３６に縦格子材を取り付けて格子状の柵体としてもよいし、横格子材１６，２６，２７，３６に網体を取り付けて網体状の柵体としてもよく、その具体的な構成は実施にあたって適宜設定すればよい。
【００６０】
さらに、前記各実施形態では、手摺ユニット１０Ａ，１０Ｂ，２０Ａ，２０Ｂを用いて手摺１０，２０，３０を構成していたが、支柱１２，２２，３２、手摺材１３，２３，３３、柵支柱１５，２５，３５、横格子材１６，２６，２７，３６等を施工現場に搬送し、施工現場で組み立ててもよい。但し、手摺ユニット１０Ａ，１０Ｂ，２０Ａ，２０Ｂを用いたほうが、現場での施工作業を軽減できる利点がある。
また、手摺ユニットとしては、前記第１，２手摺ユニット１０Ａ，１０Ｂ，２０Ａ，２０Ｂに限らない。例えば、両端部に端部用支柱１２１，２２１、端部用柵支柱１５１，２５１を備えた第１手摺ユニット１０Ａ，２０Ａを隣接配置してもよい。この場合には、各手摺ユニット１０Ａ，２０Ａを手摺取付部に取り付けていくことで手摺を施工できるため、手摺材１３，２３，３３や横格子材１６，２６，２７，３６の連結作業が必要な前記実施形態に比べて、現場施工作業をより一層軽減でき、施工作業性を向上できるとともに、手摺ユニットの種類を１種類にできて製造コストも低減できる利点がある。
【００６１】
さらに、第１手摺ユニット１０Ａ，２０Ａを所定間隔、離して配置し、各手摺ユニット１０Ａ，２０Ａ間に手摺材および横格子材を架設して手摺を施工してもよい。この場合にも、手摺ユニットの種類を１種類にできるとともに、端部用支柱１２１，２２１や端部用柵支柱１５１，２５１が隣接配置されることがないため、意匠性を向上できる利点がある。
【００６２】
また、手摺材１３，２３，３３や横格子材１６，２６，２７，３６の連結構造は、前記各実施形態のものに限らない。例えば、第１実施形態のように、別途搬送した横格子材１６，２６，２７，３６を中間部用柵支柱１５２，２５２および端部用柵支柱１５１，２５１間に配置する場合、第２実施形態のように、各柵支柱１５，２５側面にビスなどで取り付けてもよい。
一方、第２実施形態のように、横格子材２６が延長配置されている場合、この横格子材２６の端面を第１実施形態のように、柵支柱１５，２５，３５に立設されたブラケットに挿入して取り付けてもよい。
【００６３】
本発明の手摺は、前記実施形態のように、逆梁工法のバルコニーにおける逆梁である梁３などの腰壁上面に取り付けられるものに限らず、腰壁が設けられていないバルコニーの床に直接取り付けられるものでもよい。
さらに、バルコニー用の手摺に限らず、建物の屋上に設けられる手摺、建物の外廊下に設けられる手摺、階段や階段の踊り場の壁部分に取り付けられる手摺等、建物において落下防止等のために設けられる各種手摺として利用することができる。また、建物の手摺以外でも、橋の欄干などの用途に利用してもよい。
【００６４】
本発明の手摺を構成する各部材、すなわち、支柱、柵支柱、手摺材、横格子材の具体的な形状、材質などは実施にあたって適宜設定すればよい。
また、手摺は、手摺取付部の形状に沿って配置すればよく、例えば、出隅部や入隅部を有するバルコニーなどにおいては、出隅部や入隅部に沿って配置すればよい。このような各手摺が交差配置される部分では、各出隅部用や入隅部用の手摺ユニットを用意してもよいし、前記第１手摺ユニットを直交配置してもよい。さらに、コーナー部に支柱を設け、手摺ユニットを連結してもよい。
【００６５】
さらに、手摺における手摺材や横格子材の配置位置は、適宜設定すればよい。例えば、前記実施形態では、支柱１２，２２，３２の上面に手摺材１３，２３，３３を取り付けていたが、支柱１２，２２，３２上部の側面に取り付けてもよい。要するに、利用者が手摺を掴みやすい位置に配置すればよい。なお、複数本の手摺材を取り付けてもよいが、手摺体と柵体との間のスペースに物を出し入れできるように配置することが望ましい。
また、横格子材の配置位置や配置間隔もデザイン性やスペースに載置する物の大きさなどに応じて設定すればよい。
【００６６】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【００６７】
【発明の効果】
以上に述べたように、本発明によれば、製造や施工のコストを減少でき、かつ組立作業を簡略化できるとともに、墜落の不安感を無くすことができて安心して利用でき、かつ手摺が設けられる部分のスペースを有効に利用できるという効果がある。
【図面の簡単な説明】
【図１】本発明の第１実施形態に係る手摺が取り付けられた建物の一部を示す断面図である。
【図２】前記手摺を建物の屋外側から見た斜視図である。
【図３】前記手摺を示す縦断面図である。
【図４】前記手摺を示す分解斜視図である。
【図５】前記手摺の取付手順を示す斜視図である。
【図６】本発明の第２実施形態に係る手摺を建物の屋外側から見た斜視図である。
【図７】前記手摺の要部を示す分解斜視図である。
【図８】前記手摺の要部を示す縦断面図である。
【図９】前記手摺の取付手順を示す斜視図である。
【図１０】本発明の第３実施形態に係る手摺を建物の屋外側から見た斜視図である。
【符号の説明】
１…建造物である建物、３…手摺取付部である梁、１０，２０，３０…手摺、１０Ａ，２０Ａ…第１手摺ユニット、１０Ｂ，２０Ｂ…第２手摺ユニット、１１，２１，３１…手摺体、１２，２２，３２…支柱、１３，２３，３３…手摺材、１４，２４，３４…柵体、１５，２５，３５…柵支柱、１６，２６，２７，３６…横格子材、２６Ｂ…リブ、１２１，２２１…端部用支柱、１２２、２２２…中間部用支柱、１５１，２５１…端部用柵支柱、１５２、２５２…中間部用柵支柱。
【図１】
2004300834.tif 000003
【図２】
2004300834.tif 000004
【図３】
2004300834.tif 000005
【図４】
2004300834.tif 000006
【図５】
2004300834.tif 000007
【図６】
2004300834.tif 000008
【図７】
2004300834.tif 000009
【図８】
2004300834.tif 000010
【図９】
2004300834.tif 000011
【図１０】
2004300834.tif 000012